(57)【要約】      （修正有）【課題】巻き取った状態ではロール芯に巻き取られた形状をしており、持ち運びが簡易であり、巻きだした状態では片手に持った状態でも巻きだし部分が平面を維持できる基盤。【解決手段】短冊状の部材が巻き込み内面側で連結された構造からなる巻き込み式基盤。上記短冊状の部材が幅２〜４mmで厚みが１〜３mmである。上記短冊状の部材の内面側を連結するために内面側にフィルムを貼合したこと。上記記載の巻き込み側内面側で連結された短冊状部材の巻き込み外面側側面には、引き出した時に水平を維持し易いための突起状の形状を有する。巻き込み式基盤がロール芯に自動で巻き取られ、また引き出した時には任意の位置で停止出来る冶具を備えた機材とともに用いられることを特徴とする。【選択図】図１（Ｂ）
2020177036.tif 000002
【特許請求の範囲】
【請求項１】
ロール状に巻き取れる基盤であり、且つ引き出したときに水平状に保持できる巻き
込み式基盤。
【請求項２】
上記基盤が短冊状の部材が巻き込み内面側で連結された構造からなることを特徴と
特徴とする巻き込み式基盤。
【請求項３】
上記短冊状の部材が幅２〜４mmで厚みが１〜３mmであることを特徴とする巻き込み
式基盤。
【請求項４】
上記短冊状の部材の内面側を連結するために内面側にフィルムを貼合したことを特
徴とする巻き込み式基盤。
【請求項５】
上記３項記載の巻き込み側内面側で連結された短冊状部材の巻き込み外面側側面に
は、引き出した時に水平を維持し易いための突起状の形状を有することを特徴とする
巻き込み式基盤。
【請求項６】
上記３項記載の巻き込み側内面側で連結された短冊状部材の断面形状が台形状を有
することを特徴とする巻き込み式基盤。
【請求項７】
上記３項記載の短冊部材と連結部が一体で成型されたことを特徴とする巻き込み式
基盤。
【請求項８】
上記記載の巻き込み式基盤の巻き込み外面側は伸縮性の繊維部材で覆われている事
を特徴とする巻き込み式基盤。
【請求項９】
上記記載の巻き込み式基盤がロール芯に自動で巻き取られ、また引き出した時には
任意の位置で停止出来る冶具を備えた機材とともに用いられることを特徴とする巻き
込み式基盤。
【発明の詳細な説明】
【技術分野】
【０００１】
本発明はロール状に巻き取れる、そして巻き出せる基盤であり、巻き取った状態
ではロール芯に巻き取られた形状をなしており、持ち運びが簡易な基盤であり、巻
き出した状態ではロール芯を手に持った状態でも巻き出し部分が平面を維持でき
る基盤に関する。
【背景技術】
【０００２】
デイスプレイの分野では有機ＥＬデイスプレイ（以下ＯＬＥＤと略す）が薄膜で
可とう性を有する特徴を生かして折りたたみ式携帯電話（以下スマフォと略す）に
採用されている。ＯＬＥＤを用いた折りたたみスマフォは広げて使用すると従来の
例えば４インチ画面が７〜８インチ画面として使用できる。従来のスマフォでは画
面が小さくて見難い問題点を解決する方法の一つとして折りたたみ式が登場した。
しかし、人々はさらなる大型画面で且つ持ち運びが容易なデイスプレイを希望し
ている。そこで、巻き取り式のデイスプレイが提案されている。しかし、巻き取り
式のデイスプレイを広げた場合、その両端を手で保持するか、あるいは机上に広げ
るかしないと水平上に保持できない課題がある。
両手で広げた状態ではタッチパネル入力が不可能であり、画面の選択などが出来
ないという大きな欠点が生じる。
【発明の開示】
【発明が解決しようとする課題】
【０００３】
そこで本発明者はロール状に巻き取れて、且つ引き出し時には片手で保持しても
巻き出した部分が水平に維持できる基盤を鋭意検討した結果本特許に到達した。
例えば、本発明の基盤上にＯＬＥＤを貼合すると巻き取り式の大型デイスプレイ
を作成可能である。
本発明によってロール状に巻き取った状態で携帯し、使用時には引き出して片手
で保持して広げた部分を見たり、触ったりすることが出来る。
【０００４】
本発明は
１）ロール状に巻き取れる基盤であり、且つ引き出したときに水平状に保持できる
巻き込み式基盤。
２）上記基盤が短冊状の部材が巻き込み内面側で連結された構造からなることを特
徴とする巻き込み式基盤。
３）上記短冊状の部材が幅２〜４mmで厚みが１〜３mmであることを特徴とする巻き
込み式基盤。
４）上記短冊状の部材の内面側を連結するために内面側にフィルムを貼合したこと
を特徴とする巻き込み式基盤。
５）上記３項記載の巻き込み側内面側で連結されたは短冊状部材の巻き込み外面側
側面には引き出した時に水平を維持し易いための突起状の形状を有することを
特徴とする巻き込み式基盤。
６）上記３項記載の巻き込み側内面側で連結された短冊状部材の断面形状が台形状
を有することを特徴とする巻き込み式基盤。
７）上記３項記載の短冊部材と連結部が一体で成型されたことを特徴とする巻き込
み式基盤。
８）上記記載の巻き込み式基盤の巻き込み外面側は伸縮性の繊維部材で覆われてい
る事を特徴とする巻き込み式基盤。
９）上記記載の巻き込み式基盤がロール芯に自動で巻き取られ、また引き出した時
には任意の位置で停止出来る冶具を備えた機材とともに用いられることを特徴
とする巻き込み式基盤。
【図面の簡単な説明】
【０００５】
図１：本発明の実施例の一例である基盤の断面の一部を示す。（Ａ）は本基盤は短
冊状（１）の部材を多数並べ、その巻き取り内面側を連結するためのフィルム（
２）で貼合した構造を示した。(Ｂ)は巻き込み式基盤を芯のロールに巻き取っ
た状態を示し、巻き取り内面側は隣接する部材が接触状態を維持するが、巻き取
り外面では隣接する部材間に空隙が生じて巻き取り形状をなすことが出来る。
図２：本発明の短冊状の部材の隣接部材間の接触形状には各種形状が予想されるが、
その形状は本発明基盤を引き出して広げて片手で保持した時、水平がより平面的
に維持できるための効果を有する形状が推奨される。その一例を数例図示した。
【発明を実施するための形態】
【０００６】
本発明を形成する短冊状の部材はロール芯（１０）に巻き込んだ時のロール径を考
慮して選択されるが幅が１〜４ｍｍ、厚みは０．５〜３mmであり、よりスムースな巻
き込み形状を得るためには好ましくは幅が１〜３mm、厚みは０．５〜２ｍｍである。
短冊状の部材としては木材、プラスチック、金属が考えられるが好ましくはプラス
チックであり軽量化に寄与できる。
また、プラスチックでは成型時に断面形状を色々作成できる利点もある。また短冊
形状と連結部を一体で成型作成できる利点もある。プラスチック材料は成型が可能で
且つ剛性がある材料が選ばれるが、ポリエステル、ポリカーボネート、アクリル、ナ
イロン、ポリイミド、ポリアミド、液晶ポリマーなどが挙げられるが、これらに限定
されるものではない。剛性を確保するためにガラス繊維、カーボン繊維、ＣＮＴ、グ
ラフェンなどを添加しても良い。金属はそれ自身剛性があるので隣接部材間の接触に
耐久性がある。各部材は巻き取り内面側で隣接部材が接触するように、その表面にす
べての部材をカバーするフィルムを貼合し、連結する。貼合するフィルムとしては引
っ張り剛性があるポリエステルフィルムなどが選ばれるが、その厚みは２５〜１００
μｍが選ばれる。あるいは直接可とう性のある有機ＥＬデイスプレイや機能性フィル
ムの下部基板フィルムを用いて貼合しても良い。
【０００７】
機能性フィルムとしてＯＬＥＤや液晶フィルム、あるいは鏡面フィルムなどが用い
られる。連結方法としてはフィルム貼合以外にも記載したようにプラスチック部材の
成型時に巻き込み内面側がつながった状態で成型する方式もある。
各短冊状の部材の断面は巻き出し時に水平を維持し易い形状が選ばれるが、部材そ
のもので形状を形成しても良いし、付加的な部材（４）を取り付けて形状を確保して
も良い。
巻き込み式基盤の一端はロール芯に接続冶具（１１）で接続固定され、別の一端は
引き出し用取手（１２）が付けられている。またこれらの巻き取り式基盤はロール芯
に巻き取られた時に収まるカバーが付けられていても良い。ロール芯はその両端で回
転可能な冶具がつきバネの力で巻き取り式基盤が自動で巻き取ることが出来る。ロー
ル芯に巻かれた巻き込み式基盤を引き出した時には任意の位置で停止出来るストッ
パーが組み込まれているのが好ましい。
【０００８】
この巻き出し、巻き取りの動作はロールスクリーンなどでは既に採用されている方
式であり、同じ原理が採用可能である。巻き出した基盤はロール側を片手で保持する
と、巻き出した部分は水平を保持できるので、もう一方の片手で巻き出し基盤上に設
けたＯＬＥＤやタッチパネル表面をタッチして入力できる。なお、巻き出し基盤上に
設けたＯＬＥＤやタッチパネルなどの機能性フィルムの制御回路関係は巻き出し基
盤の芯であるロール部の内部に納めることが出来る。
更に、本発明の巻き出し基盤のロール芯や巻取り巻き出し冶具の両端にはスピーカ
やマイクを設けることも可能である。本発明の巻き込み式基盤を収納するカバーの形
状や材料を選択することで、ロール芯に巻き込んだ状態でも一部のＯＬＥＤ画面が見
ることが出来る。
【図１（Ａ）】
2020177036.tif 000003
【図１（Ｂ）】
2020177036.tif 000004
【図２（Ａ）】
2020177036.tif 000005
【図２（Ｂ）】
2020177036.tif 000006
【図２（Ｃ）】
2020177036.tif 000007
【図２（Ｄ）】
2020177036.tif 000008
【図２（Ｅ）】
2020177036.tif 000009